【手続補正書】
【提出日】平成18年7月6日(2006.7.6)
【手続補正１】
【補正対象書類名】明細書
【補正対象項目名】特許請求の範囲
【補正方法】変更
【補正の内容】
【特許請求の範囲】
【請求項１】  衛星位置決めシステム（ＳＰＳ）受信機で衛星位置決めシステム（ＳＰＳ）信号を得る探索時間を減少させる方法であって、
第１のＳＰＳ衛星に対する第１の擬似距離を決定し、
前記ＳＰＳ受信機の近似位置を決定し、
第２のＳＰＳ衛星に対する第２の擬似距離のための推定擬似距離を決定し、前記推定擬似距離が、前記近似位置および前記第１の擬似距離から決定され、
前記推定擬似距離によって決定された距離にある前記第２のＳＰＳ衛星からのＳＰＳ信号の到達時間を探索することを含む方法。
【請求項２】  時間情報を決定し、
前記第２の衛星の衛星位置を決定することをさらに含み、前記推定擬似距離が、前記近似位置および前記衛星位置から決定される請求項１記載の方法。
【請求項３】  前記探索時間が前記ＳＰＳ信号を最初に得るためのものであり、かつ前記推定擬似距離が前記第２のＳＰＳ衛星のための予め決定された擬似距離に基づかなくて、かつ前記探索時間が前記推定擬似距離によって決定された時間間隔以上であり、かつ前記時間情報が、±１０分内の精度である近似時刻であり、かつ前記推定擬似距離が、前記ＳＰＳ衛星からのＳＰＳ信号の推定到達時間あるいは前記ＳＰＳ受信機からの前記ＳＰＳ衛星に対する推定距離の中の１つである請求項２記載の方法。
【請求項４】  前記距離が、前記近似位置および前記時間情報および前記衛星位置の少なくとも１つに関連したエラーに基づいている請求項２記載の方法。
【請求項５】  前記距離が、前記第１の擬似距離および前記ＳＰＳ受信機の基準時間に対して決定される請求項２記載の方法。
【請求項６】  前記近似位置が、セルベース情報源から得られる請求項２記載の方法。
【請求項７】  前記近似位置が、前記セルベース情報源から前記ＳＰＳ受信機で受信される請求項６記載の方法。
【請求項８】  前記セルベース情報源が位置探知サーバに結合され、かつ前記近似位置がセルベース通信システムのセル対象物の位置を示す請求項６記載の方法。
【請求項９】  高精度搬送波信号を供給する供給源から前記高精度搬送波信号を受信し、
前記高精度搬送波信号に自動的にロックし、かつ基準信号を供給し、
局部発振器信号を供給し、ＳＰＳ信号を得るために前記基準信号を使用することをさらに含む請求項２記載の方法。
【請求項１０】  前記位置探知サーバが、前記ＳＰＳ受信機に結合される無線通信システムと無線通信している無線セルサイトの識別を決定することによって前記近似位置を前記セルベース情報源から決定する請求項８記載の方法。
【請求項１１】  前記位置探知サーバが前記推定擬似距離を決定する請求項１０記載の方法。
【請求項１２】  第３のＳＰＳ衛星に対する第３の擬似距離のための他の推定擬似距離を決定し、
前記第３のＳＰＳ衛星の他の衛星位置を決定することをさらに含み、前記他の推定擬似距離が、前記近似位置および前記他の衛星位置から決定される請求項２記載の方法。
【請求項１３】  前記他の推定擬似距離によって決定された距離にある前記第３のＳＰＳ衛星からＳＰＳ信号を探索することをさらに含む請求項１２記載の方法。
【請求項１４】  ＳＰＳ受信機で衛星位置決めシステム（ＳＰＳ）信号を最初に得る方法であって、
第１のＳＰＳ衛星に対する第１の擬似距離を決定し、
前記ＳＰＳ受信機の近似位置を決定し、
第２のＳＰＳ衛星に対する第２の擬似距離のための推定擬似距離を決定し、前記推定擬似距離が、前記近似位置および前記第１の擬似距離から決定され、
前記推定擬似距離によって決定された距離にある前記第２のＳＰＳ衛星からのＳＰＳ信号の到達時間を探索することを含む方法。
【請求項１５】  時間情報を決定し、
前記第２の衛星の衛星位置を決定することをさらに含み、前記推定擬似距離が、前記近似位置および前記衛星位置から決定される請求項１４記載の方法。
【請求項１６】  前記探索時間が前記ＳＰＳ信号を最初に得るためにあり、かつ前記推定擬似距離が前記第２のＳＰＳ衛星のための予め決定された擬似距離に基づかない請求項１５記載の方法。
【請求項１７】  前記距離が、前記第１の擬似距離および前記ＳＰＳ受信機の基準時間に対して決定される請求項１５記載の方法。
【請求項１８】  前記近似位置がセルベース情報源から得られる請求項１５記載の方法。
【請求項１９】  前記近似位置が、前記セルベース情報源から前記ＳＰＳ受信機で受信される請求項１８記載の方法。
【請求項２０】  前記セルベース情報源が位置探知サーバに結合され、かつ前記近似位置がセルベース通信システムのセル対象物の位置を示している請求項１８記載の方法。
【請求項２１】  高精度搬送波信号を供給する供給源から前記高精度搬送波信号を受信し、
前記高精度搬送波信号に自動的にロックし、かつ基準信号を供給し、
局部発振器信号を供給し、ＳＰＳ信号を得るために前記基準信号を使用することをさらに含む請求項２０記載の方法。
【請求項２２】  前記位置探知サーバが、前記ＳＰＳ受信機に結合される無線通信システムと無線通信している無線セルサイトの識別を決定することによって前記近似位置を前記セルベース情報源から決定する請求項２０記載の方法。
【請求項２３】  ＳＰＳ信号を受信するように構成されるＳＰＳアンテナと、
前記ＳＰＳアンテナに結合されたプロセッサとを備え、前記プロセッサが、第１のＳＰＳ衛星に対する第１の擬似距離を決定し、かつ第２のＳＰＳ衛星に対する推定擬似距離によって決定された距離にある前記第２のＳＰＳ衛星からのＳＰＳ信号の到達時間を探索し、前記推定擬似距離が、前記ＳＰＳ受信機の近似位置および前記第１の擬似距離から決定される衛星位置決めシステム（ＳＰＳ）受信機。
【請求項２４】  前記プロセッサに結合された通信システムをさらに含み、前記通信システムが、前記近似位置を前記プロセッサに供給する請求項２３記載のＳＰＳ受信機。
【請求項２５】  前記プロセッサに結合されたセルベース通信システムをさらに含み、前記セルベース通信システムが、前記推定擬似距離を受信し、かつ前記推定擬似距離を前記プロセッサに供給する請求項２３記載のＳＰＳ受信機。
【請求項２６】  推定擬似距離が、前記近似位置および前記第２のＳＰＳ衛星の衛星位置から決定される請求項２５記載のＳＰＳ受信機。
【請求項２７】  前記推定擬似距離が、前記第２のＳＰＳ衛星に対する予め決定された擬似距離に基づかない請求項２５記載のＳＰＳ受信機。
【請求項２８】  前記距離が、前記第１の擬似距離および前記ＳＰＳ受信機の基準時間に対して決定される請求項２５記載のＳＰＳ受信機。
【請求項２９】  前記プロセッサが、第３のＳＰＳ衛星に対する他の推定擬似距離によって決定された距離にある第３のＳＰＳ衛星からのＳＰＳ信号を探索し、前記推定擬似距離が前記ＳＰＳ受信機の前記近似位置から決定される請求項２８記載のＳＰＳ受信機。
【請求項３０】  通信インタフェースと、
記憶装置と、
前記記憶装置および前記通信インタフェースに結合されたプロセッサとを備え、前記プロセッサが、前記通信インタフェースを通してディジタル処理システムと通信できる移動衛星位置決めシステム（ＳＰＳ）受信機の近似位置を決定し、かつ前記プロセッサが、第１のＳＰＳ衛星に対する第１の擬似距離のための推定擬似距離を決定し、前記推定擬似距離が、前記近似位置および前記第１のＳＰＳ衛星の衛星位置から決定され、かつ前記推定擬似距離が、前記通信インタフェースを通して前記移動ＳＰＳ受信機に送信されるディジタル処理システム。
【請求項３１】  前記近似位置が、前記記憶装置に記憶されたセルベース情報源から得られる請求項３０記載のディジタル処理システム。
【請求項３２】  前記セルベース情報源が、無線セルベース通信システムのセルの対象物に対して近似位置情報を供給する請求項３１記載のディジタル処理システム。
【請求項３３】  前記近似位置が、無線セルベース通信システムのセル対象物の位置を示している請求項３１記載のディジタル処理システム。
【請求項３４】  前記セル対象物が、前記無線セルベース通信システムの無線セルサイトである請求項３３記載のディジタル処理システム。
【請求項３５】  前記近似位置が、前記移動ＳＰＳ受信機に結合された無線通信システムと無線通信している無線セルサイトの識別を決定することにより、前記セルベース情報源から決定される請求項３３記載のディジタル処理システム。
【請求項３６】  データ処理システムによって実行されるとき、
移動衛星位置決めシステム（ＳＰＳ）受信機の近似位置を決定し、
第１のＳＰＳ衛星に対する第１の擬似距離のための推定擬似距離を決定し、前記推定擬似距離が、前記近似位置および前記第１のＳＰＳ衛星の衛星位置から決定され、
前記推定擬似距離を前記移動ＳＰＳ受信機に送信することを含む方法を前記データ処理システムに実行させる実行可能なコンピュータプログラム命令を含むコンピュータ可読媒体。
【請求項３７】  前記方法がさらに、
第２のＳＰＳ衛星に対する第２の擬似距離のための他の推定擬似距離を決定することを含み、前記他の推定擬似距離が、前記近似位置および前記第２のＳＰＳ衛星の他の衛星位置から決定され、かつ前記近似位置が、前記移動ＳＰＳ受信機に結合された無線通信システムと無線通信している無線セルサイトの識別を決定することによって前記セルベース情報源から決定される請求項３６記載のコンピュータ可読媒体。
【請求項３８】  前記時間情報が、１０分よりよい精度を有する前記ＳＰＳ受信機の近似時刻であり、かつ前記衛星位置が、前記ＳＰＳ受信機によって見ることができるＳＰＳ衛星のセットに対応する天体位置推算表データのセットを送信する外部源から決定される請求項２記載の方法。
【請求項３９】  前記ＳＰＳ受信機が、セルベース通信システムの通信信号から前記時間情報を決定する請求項２記載の方法。
【請求項４０】  前記ＳＰＳ受信機が、ＳＰＳ信号を得るために整合フィルタを使用する請求項２記載の方法。
【請求項４１】  前記衛星位置が、（ａ）前記ＳＰＳ受信機によって見ることができるＳＰＳ衛星のセットに対応する天体位置推算表データのセット、あるいは（ｂ）前記ＳＰＳ受信機によって見ることができる前記ＳＰＳ衛星のセットに対応する天体暦データのセットの少なくとも１つを含む請求項２に記載の方法。
【請求項４２】  前記天体位置推算表データのセットがＳＰＳ受信機の基準ネットワークから得られる請求項４１記載の方法。
【請求項４３】  前記天体暦データのセットがＳＰＳ受信機の基準ネットワークから得られる請求項４１記載の方法。
【請求項４４】  前記天体位置推算表データのセットが、前記ＳＰＳ受信機と通信しているセルサイトでＳＰＳ基準受信機から得られる請求項４１記載の方法。
【請求項４５】  前記天体暦データのセットが、前記ＳＰＳ受信機と通信しているセルサイトでＳＰＳ基準受信機から得られる請求項４１記載の方法。
【請求項４６】  前記天体暦データのセットが、ＳＰＳ衛星からのＳＰＳ信号から前記ＳＰＳ受信機によって得られる請求項４１記載の方法。
【請求項４７】  前記セルベース通信システムが、ＣＤＭＡ（符号分割多元接続）システムである請求項３９記載の方法。
【請求項４８】  前記時刻を決定するステップが、セルベース通信リンクを介して前記ＳＰＳ受信機によって受信されたセルラ通信信号に提供する時刻メッセージを読み取ることによって実行される請求項３９記載の方法。
【請求項４９】  衛星位置決めシステム（ＳＰＳ）受信機の衛星位置決めシステム（ＳＰＳ）信号を得る探索時間を減少させる方法であって、
前記ＳＰＳ信号のフレーム期間よりよい精度に前記ＳＰＳ受信機で時刻を決定し、
前記ＳＰＳ受信機の近似位置を決定し、
少なくとも１つのＳＰＳ衛星に対する推定擬似距離を決定し、前記推定擬似距離が、前記近似位置および衛星位置データおよび前記時刻から決定され、
前記推定擬似距離によって決定された距離の前記ＳＰＳ衛星からのＳＰＳ信号の到達時間を探索することを含む方法。
【請求項５０】  前記衛星位置データが外部源から受信される請求項４９記載の方法。
【請求項５１】  前記探索時間が、前記ＳＰＳ信号を最初に得るためのものであり、かつ前記推定擬似距離が、前記ＳＰＳ衛星に対する予め決定された擬似距離に基づいていなくて、かつ前記衛星位置データが、前記ＳＰＳ受信機によって見ることができるＳＰＳ衛星のセットに対応する天体暦データのセットを含む請求項５０記載の方法。
【請求項５２】  前記距離が、前記近似位置および前記時刻および前記衛星位置データの少なくとも１つと関連するエラーに基づいている請求項５０記載の方法。
【請求項５３】  前記衛星位置データが、前記ＳＰＳ受信機によって見ることができるＳＰＳ衛星のセットに対応する天体位置推算表データのセットを含む請求項５０記載の方法。
【請求項５４】  前記近似位置が、セルベース情報源から得られ、かつ前記外部源が、（ａ）ＳＰＳ衛星あるいは（ｂ）セルベース通信システムの中の少なくとも１つである請求項５０記載の方法。
【請求項５５】  前記近似位置が、前記セルベース情報源から前記ＳＰＳ受信機で受信される請求項５４記載の方法。
【請求項５６】  前記セルベース情報源が位置探知サーバに結合され、かつ前記近似位置がセルベース通信システムのセル対象物の位置を示している請求項５４記載の方法。
【請求項５７】  高精度搬送波信号を供給する供給源から前記高精度搬送波信号を受信し、
前記高精度搬送波信号に自動的にロックし、かつ基準信号を供給し、
局部発振器信号を供給し、ＳＰＳ信号を得るために前記基準信号を使用することをさらに含む請求項５６記載の方法。
【請求項５８】  前記位置探知サーバが、前記ＳＰＳ受信機に結合される無線通信システムと無線通信している無線セルサイトの識別を決定することによって前記近似位置を前記セルベース情報源から決定する請求項５６記載の方法。
【請求項５９】  前記位置探知サーバが前記推定擬似距離を決定する請求項５８記載の方法。
【請求項６０】  他のＳＰＳ衛星に対する他の擬似距離のための他の推定擬似距離を決定し、
前記他のＳＰＳ衛星の他の衛星位置を決定することをさらに含み、前記他の推定擬似距離が、前記近似位置および前記他の衛星位置から決定される請求項５０に記載の方法。
【請求項６１】  前記他の推定擬似距離によって決定された距離にある前記他のＳＰＳ衛星からＳＰＳ信号の到達時間を探索することをさらに含む請求項６０記載の方法。
【請求項６２】  ＳＰＳ受信機で衛星位置決めシステム（ＳＰＳ）信号を最初に得る方法であって、
前記ＳＰＳ信号のフレーム期間よりよい精度の前記ＳＰＳ受信機で時刻を決定し、
前記ＳＰＳ受信機の近似位置を決定し、
少なくとも１つのＳＰＳ衛星に対する推定擬似距離を決定し、前記推定擬似距離が、前記近似位置および前記衛星位置データおよび前記時刻から決定され、
前記推定擬似距離によって決定された距離にある前記ＳＰＳ衛星からＳＰＳ信号の到達時間を探索することを含む方法。
【請求項６３】  前記衛星位置データが外部源から受信される請求項６２記載の方法。
【請求項６４】  前記探索時間が、前記ＳＰＳ信号を最初に得るためのものであり、かつ前記推定擬似距離が、前記ＳＰＳ衛星に対する予め決定された擬似距離に基づいていなくて、かつ前記衛星位置データが、前記ＳＰＳ受信機によって見ることができるＳＰＳ衛星のセットに対応する天体暦データのセットを含む請求項６３記載の方法。
【請求項６５】  前記衛星位置データが、前記ＳＰＳ受信機によって見ることができるＳＰＳ衛星のセットに対応する天体位置推算表データのセットを含む請求項６３記載の方法。
【請求項６６】  前記近似位置がセルベース情報源から得られる請求項６３記載の方法。
【請求項６７】  前記近似位置が、前記セルベース情報源から前記ＳＰＳ受信機で受信される請求項６６記載の方法。
【請求項６８】  前記セルベース情報源が位置探知サーバに結合され、かつ前記近似位置がセルベース通信システムのセル対象物の位置を示す請求項６６記載の方法。
【請求項６９】  高精度搬送波信号を供給する供給源から前記高精度搬送波信号を受信し、
前記高精度搬送波信号に自動的にロックし、かつ基準信号を供給し、
局部発振器信号を供給し、ＳＰＳ信号を得るように前記基準信号を使用することをさらに含む請求項６８記載の方法。
【請求項７０】  前記位置探知サーバが、前記ＳＰＳ受信機に結合される無線通信システムと無線通信している無線セルサイトの識別を決定することによって前記近似位置を前記セルベース情報源から決定する請求項６８記載の方法。
【請求項７１】  ＳＰＳ信号を受信するように構成されるＳＰＳアンテナと、
前記ＳＰＳアンテナに結合されたプロセッサとを備え、前記プロセッサが、前記ＳＰＳ信号のフレーム期間よりよい精度に前記ＳＰＳ受信機で時刻を決定し、かつ前記ＳＰＳ衛星に対する推定擬似距離によって決定された距離でＳＰＳ衛星からのＳＰＳ信号の到達時間を探索し、前記推定擬似距離が、前記ＳＰＳ受信機の近似位置および衛星位置データおよび前記時刻から決定される衛星位置決めシステム（ＳＰＳ）受信機。
【請求項７２】  前記プロセッサに結合される通信システムをさらに含み、前記通信システムが前記近似位置を前記プロセッサに供給する請求項７１記載のＳＰＳ受信機。
【請求項７３】  前記プロセッサに結合されるセルベース通信システムをさらに含み、前記セルベース通信システムが、前記推定擬似距離を受信し、かつ前記推定擬似距離を前記プロセッサに供給する請求項７１記載のＳＰＳ受信機。
【請求項７４】  前記推定擬似距離が、前記近似位置および前記ＳＰＳ衛星の衛星位置から決定される請求項７３記載のＳＰＳ受信機。
【請求項７５】  前記推定擬似距離が、前記ＳＰＳ衛星に対する予め決定された擬似距離に基づかない請求項７３記載のＳＰＳ受信機。
【請求項７６】  前記衛星位置データが、（ａ）ＳＰＳ衛星あるいは（ｂ）セルベース通信システムの中の１つである外部源から受信され、かつ前記時刻がセルベース通信システムの通信信号から決定される請求項７２記載のＳＰＳ受信機。
【請求項７７】  前記プロセッサが、前記他のＳＰＳ衛星に対する他の推定擬似距離によって決定された距離にある他のＳＰＳ衛星からのＳＰＳ信号の到達時間を探索し、前記他の推定擬似距離が前記ＳＰＳ受信機の前記近似位置から決定される請求項７６記載のＳＰＳ受信機。
【請求項７８】  前記ＳＰＳ受信機が、ＳＰＳ信号を得るために整合ファイルを使用する請求項４９記載の方法。
【請求項７９】  前記ＳＰＳ受信機が、セルベース通信システムの通信信号から前記時刻を決定する請求項４９記載の方法。
【請求項８０】  前記セルベース通信システムが、ＣＤＭＡ（符号分割多元接続）システムを含む請求項７９記載の方法。
【請求項８１】  前記通信信号が、時刻メッセージあるいは一連の時間パルスの１つである請求項７９記載の方法。
【請求項８２】  前記天体暦データのセットが、（ａ）ＳＰＳ受信機の基準ネットワーク、（ｂ）前記ＳＰＳ受信機と通信しているセルサイトのＳＰＳ基準受信機、あるいは（ｃ）前記ＳＰＳ受信機によって受信されたＳＰＳ衛星からＳＰＳ信号の中の少なくとも１つから得られる請求項５１の方法。
【請求項８３】  前記天体位置推算表データのセットが、（ａ）ＳＰＳ受信機の基準ネットワーク、（ｂ）前記ＳＰＳ受信機と通信しているセルサイトのＳＰＳ基準受信機、あるいは（ｃ）前記ＳＰＳ受信機によって受信されたＳＰＳ衛星からのＳＰＳ信号の中の少なくとも１つから得られる請求項５３の方法。
【請求項８４】  衛星位置決めシステム（ＳＰＳ）受信機で衛星位置決めシステム（ＳＰＳ）信号を得る探索時間を減少させる方法であって、
前記ＳＰＳ受信機で時刻を決定し、
推定距離対時間の数学的記述のセットを得、前記推定距離が、前記ＳＰＳ受信機から前記ＳＰＳ受信機によって見ることができる前記ＳＰＳ衛星までであり、
少なくとも１つのＳＰＳ衛星に対する推定擬似距離を決定し、前記推定擬似距離が、前記時刻および前記数学的記述のセットから決定され、
前記推定擬似距離によって決定された距離で前記ＳＰＳ衛星からのＳＰＳ信号の到達時間を探索することを含む方法。
【請求項８５】  前記数学的記述のセットが外部源から受信される請求項８４記載の方法。
【請求項８６】  前記探索時間が、前記ＳＰＳ信号を最初に得るためのものであり、かつ前記推定擬似距離が、前記ＳＰＳ衛星からのＳＰＳ信号の推定到達時間あるいは前記ＳＰＳ受信機から前記ＳＰＳ衛星までの推定距離の中の１つであり、かつ前記探索が前記推定擬似距離によって決定された時間間隔にわたっている請求項８５記載の方法。
【請求項８７】  前記距離が、前記時刻および前記数学的記述のセットの少なくとも１つに関連したエラーに基づいている請求項８５の方法。
【請求項８８】  第１のＳＰＳ衛星に対する第１の擬似距離を決定することをさらに含み、かつ前記推定擬似距離が、前記第１の擬似距離からも決定され、かつ前記時刻が近似である請求項８５記載の方法。
【請求項８９】  前記数学的近似のセットが、セルベース情報源から得られた前記ＳＰＳ受信機の近似位置を使用する請求項８５に記載の方法。
【請求項９０】  前記近似位置が、前記セルベース情報源から前記ＳＰＳ受信機で受信される請求項８９記載の方法。
【請求項９１】  前記セルベース情報源が位置探知サーバに結合され、かつ前記近似位置が、セルベース通信システムのセル対象物の位置を示す請求項８９記載の方法。
【請求項９２】  前記セル対象物が、前記セルベース通信システムの無線セルサイトである請求項９１記載の方法。
【請求項９３】  前記位置探知サーバが、前記ＳＰＳ受信機に結合される無線通信システムと無線通信している無線セルサイトの識別を決定することによって前記近似位置を前記セルベース情報源から決定する請求項９１記載の方法。
【請求項９４】  前記位置探知サーバが、前記数学的記述のセットを決定し、かつ前記数学的記述のセットを前記ＳＰＳ受信機に送信させる請求項９３記載の方法。
【請求項９５】  高精度搬送波信号を前記高精度搬送波信号を供給する供給源から受信し、
前記高精度搬送波信号に自動的にロックし、かつ基準信号を供給し、
局部発振器信号を供給し、ＳＰＳ信号を得るために前記基準信号を使用することを含む請求項８５記載の方法。
【請求項９６】  前記時刻が前記ＳＰＳ信号のフレーム期間内に対して正確である請求項８５記載の方法。
【請求項９７】  ＳＰＳ信号を受信するように構成されるＳＰＳアンテナと、
前記ＳＰＳアンテナに結合されたプロセッサとを備え、前記プロセッサが、ＳＰＳ受信機で時刻を決定し、かつ前記ＳＰＳ衛星の推定擬似距離によって決定された距離にあるＳＰＳ衛星からのＳＰＳ信号の到達時間を探索し、前記推定擬似距離が、前記時刻および推定距離対時間の数学的記述のセットから決定され、前記推定距離が、前記ＳＰＳ受信機から前記ＳＰＳ受信機によって見ることができる前記ＳＰＳ衛星までである衛星位置決めシステム（ＳＰＳ）受信機。
【請求項９８】  前記プロセッサに結合される通信システムをさらに含み、前記通信システムが、前記数学的記述のセットを受信し、かつ前記数学的記述のセットを前記プロセッサに供給する請求項９７記載のＳＰＳ受信機。
【請求項９９】  前記プロセッサに結合されるセルベース通信システムをさらに含み、前記セルベース通信システムが、前記時刻を指定するメッセージを受信し、かつ前記時刻を前記プロセッサに供給する請求項９７記載のＳＰＳ受信機。
【請求項１００】  前記時刻が１０分以内の近似である場合、前記プロセッサが第１のＳＰＳ衛星に対する第１の擬似距離を決定し、かつ前記推定擬似距離が前記第１の擬似距離からも決定される請求項９７記載のＳＰＳ受信機。
【請求項１０１】  前記推定擬似距離が、前記ＳＰＳ衛星からのＳＰＳ信号の推定到達時間あるいは前記ＳＰＳ受信機から前記ＳＰＳ衛星までの推定距離の中の１つであり、かつ前記探索が前記推定擬似距離により決定された時間間隔にわたっている請求項９７記載のＳＰＳ受信機。
【請求項１０２】  前記プロセッサが前記探索を実行する整合フィルタを含む請求項９７記載のＳＰＳ受信機。
【請求項１０３】  通信インタフェースと、
記憶装置と、
前記記憶装置および前記通信インタフェースに結合されたプロセッサとを備え、前記プロセッサが、前記通信インタフェースを通してディジタル処理システムと通信できる移動衛星位置決めシステム（ＳＰＳ）受信機の近似位置を決定し、かつ前記プロセッサが、推定距離対時間の数学的記述のセットを決定し、前記推定距離が、前記ＳＰＳ受信機から前記ＳＰＳ受信機によって見ることができる前記ＳＰＳ衛星までであり、前記数学的記述のセットが前記近似位置から決定され、かつ前記数学的記述のセットが前記通信インタフェースを通して前記移動ＳＰＳ受信機に送信されるディジタル処理システム。
【請求項１０４】  前記近似位置が、前記記憶装置に記憶されたセルベース情報源から得られる請求項１０３記載のディジタル処理システム。
【請求項１０５】  前記セルベース情報源が、無線セルベース通信システムのセルの対象物のための近似位置情報を供給する請求項１０４記載のディジタル処理システム。
【請求項１０６】  前記近似位置が、無線セルベース通信システムのセル対象物の位置を示す請求項１０４記載のディジタル処理システム。
【請求項１０７】  前記セル対象物が前記無線セルベース通信システムの無線セルサイトである請求項１０６記載のディジタル処理システム。
【請求項１０８】  前記近似位置が、前記移動ＳＰＳ受信機に結合される無線通信システムと無線通信している無線セルサイトの識別を決定することによって前記セルベース情報源から決定される請求項１０６記載のディジタル処理システム。
【請求項１０９】  データ処理システムによって実行されるとき、
移動衛星位置決めシステム（ＳＰＳ）受信機の近似位置を決定し、
推定距離対時間の数学的記述のセットを決定し、前記推定距離が、前記ＳＰＳ受信機から前記ＳＰＳ受信機によって見ることができるＳＰＳ衛星までであり、前記数学的記述のセットが前記近似位置から決定され、
前記数学的記述のセットを前記移動ＳＰＳ受信機に送信することを含む方法を前記データ処理システムに実行させる実行可能なコンピュータプログラム命令を含むコンピュータ可読媒体。
【請求項１１０】  前記数学的記述のセットが、ＳＰＳ衛星に対する推定距離および時間にわたる前記推定距離の変化率を含む請求項８４記載の方法。
【請求項１１１】  前記数学的記述のセットが時間の多項関数を含む請求項８４記載の方法。
【請求項１１２】  前記ＳＰＳ受信機が、前記ＳＰＳ信号を探索するために整合フィルタを使用する請求項８４記載の方法。
【請求項１１３】  前記ＳＰＳ受信機が、セルベース通信システムの通信信号から前記時刻を決定する請求項８４記載の方法。
【請求項１１４】  前記セルベース通信システムが、ＣＤＭＡ（符号分割多元接続）システムを含む請求項１１３記載の方法。